(57)【要約】【課題】アナログ／ディジタル一体型チューナのアナログ放送の受信制御とディジタル放送の受信制御とを共通の制御ラインで制御するとともに、割り込み誤動作を防止するアナログ／ディジタル一体型のチューナ制御回路を提供する。【解決手段】  アナログテレビジョン放送とディジタルテレビジョン放送を受信して、上記受信したテレビジョン放送を基に映像信号と音声信号とを生成するチューナＩＣ回路を制御するチューナ制御回路において、上記チューナＩＣ回路は、第一のマイコンと第二のマイコンにて出力される制御を同一の制御ラインに送信するために、上記第一マイコンと第二のマイコンを同時に作動させる際は、同第二のマイコンから出力されるディジタル放送受信制御信号が第一のマイコンから出力されるクロマＩＣ制御信号に割り込まないよう制御信号遮断手段を有する。【選択図】図１
2007228164.tif 000002
【特許請求の範囲】
【請求項１】
アナログテレビジョン放送とディジタルテレビジョン放送を受信し、上記受信したテレビジョン放送から映像信号と音声信号とを生成するチューナＩＣ回路と、
映像を表示するための表示パネルと、
上記チューナＩＣ回路にて生成された映像信号を基に上記表示パネルに映像を表示するためのＲＧＢ信号を生成する映像信号処理回路と、
上記チューナＩＣ回路にて生成された音声信号に所定の増幅を行いスピーカより音声として出力する音声信号処理回路と、
押圧することで所定の電圧値を有する操作信号を出力する操作入力キーを複数配置するリモコン装置と、
上記操作信号を同操作信号に対応する赤外線信号に変換する赤外線送信部と、
上記赤外線送信部より送信された赤外線信号を再度所定の電圧値を有する操作信号に変換する赤外線受光変換部と、
上記赤外線受光変換部により変換された操作信号を基に、上記チューナＩＣ回路と、上記映像信号処理回路と、上記音声信号処理回路とを制御する制御部とを有するテレビジョン装置において、
上記チューナＩＣ回路は、
アナログテレビジョン放送を受信するための同期信号と３．３ボルトのデータ信号とから構成されるアナログ放送受信制御信号と、上記受信したテレビジョン放送を基に、映像信号と音声信号とを生成するための同期信号と３．３ボルトのデータ信号とから構成されるクロマＩＣ制御信号とをデータ信号出力ポートと同期信号出力ポートとから出力する第一のマイコンと、
ディジタルテレビジョン放送を受信するための同期信号と５ボルトのデータ信号とから構成されるディジタル放送受信制御信号をデータ信号出力ポートと同期信号出力ポートとから出力する第二のマイコンと、
上記第一のマイコンと上記第二のマイコンから出力されるデータ信号と同期信号とを受け入れるデータ信号入力ポートと同期信号入力ポートとを有し、同第一のマイコンと第二のマイコンから出力されるアナログ放送受信制御信号とディジタル放送受信制御信号とに基づいてアナログテレビジョン放送とディジタルテレビジョン放送から所定のテレビジョン放送を受信するアナログ／ディジタル一体型チューナ部と、
上記第一のマイコンから出力されるクロマＩＣ制御信号のデータ信号と同期信号とを受け入れるデータ信号入力ポートと同期信号入力ポートとを有し、同第一のマイコンから出力される上記クロマＩＣ制御信号に基づいて上記アナログ／ディジタル一体型チューナ部が受信したテレビジョン放送から映像信号と音声信号とを生成するクロマＩＣ部と、
上記第一のマイコンと第二のマイコンからの上記同期信号を上記アナログ／ディジタル一体型チューナ部と、クロマＩＣ部との同期信号入力ポートに送信するクロックラインと、上記第一のマイコンと第二のマイコンからのデータ信号を上記アナログ／ディジタル一体型チューナ部とクロマＩＣ部とのデータ信号入力ポートに送信するデータラインとを有する制御ラインと、
上記第一のマイコンが作動する際は、所定の電圧値を有するアナログ／ディジタル切り替え信号を出力し、上記第二のマイコンが作動する際は、上記アナログ／ディジタル切り替え信号を出力しないアナログ／ディジタル切り替えラインとを有し、
上記制御ラインは、
上記データライン間にコレクタとエミッタを接続するとともに、上記コレクタと上記第二のマイコンのデータ信号出力ポートを接続し、上記エミッタに上記アナログ／ディジタル一体型チューナ部のデータ信号入力ポートとを接続し、ベースに上記アナログ／ディジタル切り替えラインを接続する第一のトランジスタを有し、上記第二のマイコンが作動する場合は上記ベースにアナログ／ディジタル切り替え信号を出力しないことで、上記コレクタとエミッタとの間を遮断して、上記第二のマイコンから出力されるデータ信号を上記データラインに接続されたクロマＩＣ部のデータ信号入力ポートに出力しないとともに、上記第一のマイコンからのデータ信号をデータラインに出力するデータ信号遮断部と、
上記クロックライン間にコレクタとエミッタを接続するとともに、上記コレクタに上記第二のマイコンの同期信号出力ポートを接続し、上記エミッタにアナログ／ディジタル一体型チューナ部の同期信号入力ポートとを接続し、ベースに上記アナログ／ディジタル切り替えラインを接続する第二のトランジスタを有し、上記第二のマイコンが作動する場合は上記ベースにアナログ／ディジタル切り替え信号を出力しないことで、上記コレクタとエミッタとの間を遮断して、上記第二のマイコンから出力される同期信号を上記クロックラインに接続された上記クロマＩＣ部の同期信号入力ポートに出力しない同期信号遮断部とを有することを特徴とするテレビジョン装置。
【請求項２】
アナログテレビジョン放送とディジタルテレビジョン放送を受信して、上記受信したテレビジョン放送を基に映像信号と音声信号とを生成するチューナＩＣ回路を制御するチューナ制御回路において、
上記チューナＩＣ回路は、
アナログテレビジョン放送を受信するための同期信号とデータ信号とから構成されるアナログ放送受信制御信号と、上記受信したテレビジョン放送を基に映像信号と音声信号を生成するための同期信号とデータ信号とから構成されるクロマＩＣ制御信号を出力する第一のマイコンと、
ディジタルテレビジョン放送を受信するための同期信号とデータ信号とから構成されるディジタル放送受信制御信号を出力する第二のマイコンと、
上記第一のマイコンと第二のマイコンから出力されるアナログ放送受信制御信号とディジタル放送受信制御信号とに基づいてアナログテレビジョン放送とディジタルテレビジョン放送を受信するアナログ／ディジタル一体型チューナ部と、
上記第一のマイコンから出力されるクロマＩＣ制御信号に基づいて上記アナログ／ディジタル一体型チューナ部が受信したテレビジョン放送から映像信号と音声信号とを生成するクロマＩＣ部と、
上記第一のマイコンから出力されるアナログ放送受信制御信号とクロマＩＣ制御信号と、上記第二のマイコンから出力されるディジタル放送制御信号とを、上記アナログ／ディジタル一体型チューナ部とクロマＩＣ部とに送信する制御ラインと、
上記第一のマイコンが作動する際は、所定の電圧値を有するアナログ／ディジタル切り替え信号を出力し、上記第二のマイコンが作動する際は、上記アナログ／ディジタル切り替え信号を出力しないアナログ／ディジタル切り替え手段とを有し、
上記制御ラインは、
上記アナログ／ディジタル一体型チューナ部にてアナログテレビジョン放送を受信する際は、上記切り替え手段から出力されるアナログ／ディジタル切り替え信号に基づいて、上記第二のマイコンから上記制御ラインへ出力されるディジタル放送受信制御信号を遮断する制御信号遮断手段を有することを特徴とするチューナ制御回路。
【請求項３】
上記制御信号遮断手段は、上記制御ライン間にコレクタとエミッタを接続するとともに、上記コレクタに上記第二のマイコンを接続し、上記エミッタにアナログ／ディジタル一体型チューナ部とを接続し、ベースに上記アナログ／ディジタル切り替え手段を接続するトランジスタを有し、上記第二のマイコンが作動する場合は上記ベースにアナログ／ディジタル切り替え信号を流さないことで、上記コレクタとエミッタとの間を遮断して、上記第二のマイコンから出力されるディジタル放送受信制御信号を上記制御ラインに接続されるクロマＩＣ部に出力しない制御信号遮断部とを有することを特徴とする請求項２に記載のチューナ制御回路。
【発明の詳細な説明】
【技術分野】
【０００１】
本発明は、テレビジョン装置、またはチューナ制御回路に関し、特に、アナログテレビジョン放送とディジタルテレビジョン放送を受信するチューナ制御回路に関する。
【背景技術】
【０００２】
テレビジョン放送のアナログ放送からディジタル放送への移行に際し、テレビジョン放送を受信するチューナ回路の構成も、アナログ放送とディジタル放送の両方を受信できるアナログ／ディジタル一体型の構成となっている。
【０００３】
アナログ／ディジタル一体型チューナの例として、アナログ変調された信号とディジタル変調された信号とのレベルの違いによる歪、郡遅延による劣化の問題を解決したアナログ／ディジタル一体型チューナが知られている（例えば、特許文献１参照。）。
【０００４】
また、ディジタル放送の受信時において、ベースバンド復調部が後段のディジタル処理系で発生するノイズの影響を受けやすい問題を解決するアナログ／ディジタル一体型チューナが知られている（例えば、特許文献２参照。）。
【０００５】
また、回路規模の削減と、Ｓ／Ｎ比の改善を図ることを目的としたアナログ／ディジタル一体型チューナが知られている（例えば、特許文献３参照。）。
【０００６】
また、システムが単純でコストダウン効果が得られるアナログ／ディジタル一体型チューナが知られている（例えば、特許文献４参照。）。
【０００７】
また、位相雑音の改善を図ったアナログ／ディジタル一体型チューナの構成が知られている（例えば、特許文献５参照。）。
【特許文献１】特開平８−１８１５５６
【特許文献２】特開平１１−１７７４５６
【特許文献３】特開２００２−４４５５７
【特許文献４】特開平１１−９８４２６
【特許文献５】特開平８−１９５９１８
【発明の開示】
【発明が解決しようとする課題】
【０００８】
上述した従来のアナログ／ディジタル一体型チューナにおいては、次のような課題があった。すなわち、アナログ／ディジタル一体型チューナがアナログ放送とディジタル放送を受信する制御するための制御信号を同一の制御ラインで制御する場合、クロマ制御とアナログ放送受信制御とを同一のマイコン等で行っている制御回路においては、ディジタル放送を受信するための制御信号がクロマ制御を行う制御信号に割り込み誤動作の原因となっていた。
また、上記割り込み誤動作を防止するためには、制御ラインを分割する必要があり、回路構成の複雑化とコストアップが課題となっていた。
【０００９】
本発明は、上記課題にかんがみてなされたもので、アナログ／ディジタル一体型チューナのアナログ放送の受信制御とディジタル放送の受信制御とを共通の制御ラインで制御するとともに、割り込み誤動作を防止するアナログ／ディジタル一体型のチューナ制御回路または、上記チューナ制御回路を使用したテレビジョン装置の提供を目的とする。
【課題を解決するための手段】
【００１０】
上記目的を達成するため、請求項１にかかる発明は、アナログテレビジョン放送とディジタルテレビジョン放送を受信し、上記受信したテレビジョン放送から映像信号と音声信号とを生成するチューナＩＣ回路と、映像を表示するための表示パネルと、上記チューナＩＣ回路にて生成された映像信号を基に上記表示パネルに映像を表示するためのＲＧＢ信号を生成する映像処理回路と、上記チューナＩＣ回路にて生成された音声信号に所定の増幅を行いスピーカより音声として出力する音声信号処理回路と、押圧することで所定の電圧値を有する操作信号を出力する操作入力キーを複数配置するリモコン装置と、上記操作信号を同操作信号に対応する赤外線信号に変換する赤外線送信部と、上記赤外線送信部より送信された赤外線信号を再度所定の電圧値を有する操作信号に変換する赤外線受光変換部と、上記赤外線受光変換部により変換された操作信号を基に、上記チューナＩＣ回路と、上記映像信号処理回路と、上記音声信号処理回路とを制御する制御部とを有するテレビジョン装置において、
上記上記チューナＩＣ回路は、アナログテレビジョン放送を受信するための同期信号と３．３ボルトのデータ信号とから構成されるアナログ放送受信制御信号と、上記受信したテレビジョン放送を基に、映像信号と音声信号とを生成するための同期信号と３．３ボルトのデータ信号とから構成されるクロマＩＣ制御信号とをデータ信号出力ポートと同期信号出力ポートとから出力する第一のマイコンと、ディジタルテレビジョン放送を受信するための同期信号と５ボルトのデータ信号とから構成されるディジタル放送受信制御信号をデータ信号出力ポートと同期信号出力ポートとから出力する第二のマイコンと、上記第一のマイコンと上記第二のマイコンから出力されるデータ信号と同期信号とを受け入れるデータ信号入力ポートと同期信号入力ポートとを有し、同第一のマイコンと第二のマイコンから出力されるアナログ放送受信制御信号とディジタル放送受信制御信号とに基づいてアナログテレビジョン放送とディジタルテレビジョン放送から所定のテレビジョン放送を受信するアナログ／ディジタル一体型チューナ部と、上記第一のマイコンから出力されるクロマＩＣ制御信号のデータ信号と同期信号とを受け入れるデータ信号入力ポートと同期信号入力ポートとを有し、同第一のマイコンから出力される上記クロマＩＣ制御信号に基づいて上記アナログ／ディジタル一体型チューナ部が受信したテレビジョン放送から映像信号と音声信号とを生成するクロマＩＣ部と、上記第一のマイコンと第二のマイコンからの上記同期信号を上記アナログ／ディジタル一体型チューナ部と、クロマＩＣ部との同期信号入力ポートに送信するクロックラインと、上記第一のマイコンと第二のマイコンからのデータ信号を上記アナログ／ディジタル一体型チューナ部とクロマＩＣ部とのデータ信号入力ポートに送信するデータラインとを有する制御ラインと、上記第一のマイコンが作動する際は、所定の電圧値を有するアナログ／ディジタル切り替え信号を出力し、上記第二のマイコンが作動する際は、上記アナログ／ディジタル切り替え信号を出力しないアナログ／ディジタル切り替えラインとを有し、
上記制御ラインは、上記データライン間にコレクタとエミッタを接続するとともに、コレクタに上記第二のマイコンのデータ信号出力ポートを接続し、エミッタに上記アナログ／ディジタル一体型チューナ部のデータ信号入力ポートとを接続し、ベースに上記アナログ／ディジタル切り替えラインを接続する第一のトランジスタを有し、上記第二のマイコンが作動する場合は上記ベースにアナログ／ディジタル切り替え信号を出力しないことで、上記コレクタとエミッタとの間を遮断して、上記第二のマイコンから出力されるデータ信号を上記データラインに接続されたクロマＩＣ部のデータ信号入力ポートに出力しないデータ信号遮断部と、上記クロックライン間にコレクタとエミッタを接続するとともに、コレクタに上記第二のマイコンの同期信号出力ポートを接続し、エミッタにアナログ／ディジタル一体型チューナ部の同期信号入力ポートとを接続し、ベースに上記アナログ／ディジタル切り替えラインを接続する第二のトランジスタを有し、上記第二のマイコンが作動する場合は上記ベースにアナログ／ディジタル切り替え信号を出力しないことで、上記コレクタとエミッタとの間を遮断して、上記第二のマイコンから出力される同期信号を上記クロックラインに接続したクロマＩＣ部の同期信号入力ポートに出力しない同期信号遮断部とを有する構成である。
【００１１】
つまり、表示パネルと、映像処理回路と、音声信号処理回路と、リモコン装置と、赤外線送信部と、赤外線受光変換部と、制御部と、チューナＩＣ回路とを有するテレビジョン装置において、上記チューナＩＣ回路のチューナ制御に関する発明である。
【００１２】
上記上記チューナＩＣ回路は、第一のマイコンと、第二のマイコンと、アナログ／ディジタル一体型チューナ部と、クロマＩＣ部と、制御ラインと、アナログディジタル切り替えラインとを有する構成である。第一のマイコンは、アナログテレビジョン放送を受信するための同期信号と３．３ボルトのデータ信号とから構成されるアナログ放送受信制御信号と、上記受信したテレビジョン放送を基に、映像信号と音声信号とを生成するための同期信号と３．３ボルトのデータ信号とから構成されるクロマＩＣ制御信号とをデータ信号出力ポートと同期信号出力ポートとから出力する。第二のマイコンは、ディジタルテレビジョン放送を受信するための同期信号と５ボルトのデータ信号とから構成されるディジタル放送受信制御信号をデータ信号出力ポートと同期信号出力ポートとから出力する。
【００１３】
また、アナログ／ディジタル一体型チューナ部は、上記第一のマイコンと上記第二のマイコンから出力されるデータ信号と同期信号とを受け入れるデータ信号入力ポートと同期信号入力ポートとを有し、同第一のマイコンと第二のマイコンから出力されるアナログ放送受信制御信号とディジタル放送受信制御信号とに基づいてアナログテレビジョン放送とディジタルテレビジョン放送から所定のテレビジョン放送を受信する。
【００１４】
クロマＩＣ部は、上記第一のマイコンから出力されるクロマＩＣ制御信号のデータ信号と同期信号とを受け入れるデータ信号入力ポートと同期信号入力ポートとを有し、同第一のマイコンから出力される上記クロマＩＣ制御信号に基づいて上記アナログ／ディジタル一体型チューナ部が受信したテレビジョン放送から映像信号と音声信号とを生成する。
【００１５】
制御ラインは、上記第一のマイコンと第二のマイコンからの上記同期信号を上記アナログ／ディジタル一体型チューナ部と、クロマＩＣ部との同期信号入力ポートに送信するクロックラインと、上記第一のマイコンと第二のマイコンからのデータ信号を上記アナログ／ディジタル一体型チューナ部とクロマＩＣ部とのデータ信号入力ポートに送信するデータラインとを有する。
【００１６】
アナログ／ディジタル切り替えラインは、上記第一のマイコンが作動する際は、所定の電圧値を有するアナログ／ディジタル切り替え信号を出力し、上記第二のマイコンが作動する際は、上記アナログ／ディジタル切り替え信号を出力しない。
【００１７】
また、上記制御ラインは、データ信号遮断部と同期信号遮断部とを有する構成である。データ信号遮断部は、コレクタに上記第二のマイコンのデータ信号出力ポートを接続し、エミッタに上記アナログ／ディジタル一体型チューナ部のデータ信号入力ポートとを接続し、ベースに上記アナログ／ディジタル切り替えラインを接続する第一のトランジスタを有する。上記第二のマイコンが作動する場合は上記ベースにアナログ／ディジタル切り替え信号を出力しないことで、上記コレクタとエミッタとの間を遮断して、上記第二のマイコンから出力されるデータ信号を上記データラインに接続されたクロマＩＣ部のデータ信号入力ポートに出力しないことで上記クロマＩＣ部の誤動作を防止する。また、同期信号遮断部は、コレクタに上記第二のマイコンの同期信号出力ポートを接続し、エミッタにアナログ／ディジタル一体型チューナ部の同期信号入力ポートとを接続し、ベースに上記アナログ／ディジタル切り替えラインを接続する第二のトランジスタを有する。上記第二のマイコンが作動する場合は上記ベースにアナログ／ディジタル切り替え信号を出力しないことで、上記コレクタとエミッタとの間を遮断して、上記第二のマイコンから出力される同期信号を上記クロックラインに接続されたクロマＩＣ部の同期信号入力ポートに出力しないことで、クロマＩＣ部の誤動作を防止する。
【００１８】
また、請求項２にかかる発明は、アナログテレビジョン放送とディジタルテレビジョン放送を受信して、上記受信したテレビジョン放送を基に映像信号と音声信号とを生成するチューナＩＣ回路を制御するチューナ制御回路において、
上記チューナＩＣ回路は、アナログテレビジョン放送を受信するための同期信号とデータ信号とから構成されるアナログ放送受信制御信号と、上記受信したテレビジョン放送を基に映像信号と音声信号を生成するための同期信号とデータ信号とから構成されるクロマＩＣ制御信号とを出力する第一のマイコンと、ディジタルテレビジョン放送を受信するための同期信号とデータ信号とから構成されるディジタル放送受信制御信号を出力する第二のマイコンと、上記第一のマイコンと第二のマイコンから出力されるアナログ放送受信制御信号とディジタル放送受信制御信号とに基づいてアナログテレビジョン放送とディジタルテレビジョン放送を受信するアナログ／ディジタル一体型チューナ部と、上記第一のマイコンから出力されるクロマＩＣ制御信号に基づいて上記アナログ／ディジタル一体型チューナ部が受信したテレビジョン放送から映像信号と音声信号とを生成するクロマＩＣ部と、上記第一のマイコンから出力されるアナログ放送受信制御信号とクロマＩＣ制御信号と、上記第二のマイコンから出力されるディジタル放送受信制御信号とを、上記アナログ／ディジタル一体型チューナ部とクロマＩＣ部とに送信する制御ラインと、上記第一のマイコンが作動する際は、所定の電圧値を有するアナログ／ディジタル切り替え信号を出力し、上記第二のマイコンが作動する際は、上記アナログ／ディジタル切り替え信号を出力しないアナログ／ディジタル切り替え手段とを有し、
上記制御ラインは、上記アナログ／ディジタル一体型チューナ部にてアナログテレビジョン放送を受信する際は、上記切り替え手段から出力されるアナログ／ディジタル切り替え信号に基づいて、上記第二のマイコンから上記制御ラインに接続されたクロマＩＣ部に出力されるディジタル放送受信制御信号を遮断する制御信号遮断手段を有する構成である。
【００１９】
つまり、請求項２の発明は、アナログテレビジョン放送とディジタルテレビジョン放送を受信して、上記受信したテレビジョン放送を基に映像信号と音声信号とを生成するチューナＩＣ回路を制御するチューナ制御回路である。そのため、上記チューナＩＣ回路は、第一のマイコンと、第二のマイコンと、アナログ／ディジタル一体型チューナ部と、クロマＩＣ部と、制御ラインと、アナログ／ディジタル切り替えラインとを有する構成である。
【００２０】
第一のマイコンは、アナログテレビジョン放送を受信するための同期信号とデータ信号とから構成されるアナログ放送受信制御信号を上記アナログ／ディジタル一体型チューナ部に出力するとともに、上記受信したテレビジョン放送を基に映像信号と音声信号を生成するための同期信号とデータ信号とから構成されるクロマＩＣ制御信号を出力する。第二のマイコンは、ディジタルテレビジョン放送を受信するための同期信号とデータ信号とから構成されるディジタル放送受信制御信号を上記アナログ／ディジタル一体型チューナ部に出力する。
【００２１】
アナログ／ディジタル一体型チューナ部は、上記第一のマイコンと第二のマイコンから出力されるアナログ放送受信制御信号とディジタル放送受信制御信号とに基づいてアナログテレビジョン放送とディジタルテレビジョン放送を受信する。また、クロマＩＣ部は、上記第一のマイコンから出力されるクロマＩＣ制御信号に基づいて上記アナログ／ディジタル一体型チューナ部が受信したテレビジョン放送から映像信号と音声信号とを生成する。
【００２２】
制御ラインは、上記第一のマイコンから出力されるアナログ放送受信制御信号とクロマＩＣ制御信号と、上記第二のマイコンから出力されるディジタル放送受信制御信号とを、上記アナログ／ディジタル一体型チューナ部とクロマＩＣ部とに送信する。また、アナログ／ディジタル切り替え手段は、、上記第一のマイコンが作動する際は、所定の電圧値を有するアナログ／ディジタル切り替え信号を出力し、上記第二のマイコンが作動する際は、上記アナログ／ディジタル切り替え信号を出力しない。
【００２３】
また、上記制御ラインは、上記アナログ／ディジタル一体型チューナ部にてアナログテレビジョン放送を受信する際は、上記切り替え手段から出力されるアナログ／ディジタル切り替え信号に基づいて、上記第二のマイコンから上記制御ラインへ出力されるディジタル放送受信制御信号を遮断する制御信号遮断手段を有する構成である。
【００２４】
また、請求項３にかかる発明は請求項２に記載のチューナ制御回路であって、上記制御信号遮断手段は、上記制御ライン間にコレクタとエミッタを接続するとともに、上記コレクタに上記第二のマイコンを接続し、上記エミッタにアナログ／ディジタル一体型チューナ部とを接続し、ベースに上記アナログ／ディジタル切り替え手段を接続するトランジスタを有し、上記第二のマイコンが作動する場合は上記ベースにアナログ／ディジタル切り替え信号を流さないことで、上記コレクタとエミッタとの間を遮断して、上記第二のマイコンから出力されるディジタル放送受信制御信号を上記制御ラインに接続されたクロマＩＣ部に出力しない制御信号遮断部とを有する構成である。
【００２５】
つまり、請求項２に記載のチューナ制御回路であって、上記制御信号遮断手段は、コレクタに上記第二のマイコンを接続し、エミッタにアナログ／ディジタル一体型チューナ部とを接続し、ベースに上記アナログ／ディジタル切り替え手段を接続するトランジスタを有する構成である。上記構成により、ディジタル放送を受信するために、上記第二のマイコンが作動する場合は上記ベースにアナログ／ディジタル切り替え信号を流さないことで、上記コレクタとエミッタとの間を遮断して、上記第二のマイコンから出力されるディジタル放送受信制御信号を上記制御ラインに接続されたクロマＩＣ部に流さないことでクロマＩＣ部の誤動作を防止する制御信号遮断部とを有する構成である。
【発明の効果】
【００２６】
以上説明したように、請求項１、請求項２の発明は、共通の制御ラインに他の回路に割り込み誤動作を生じないてアナログ／ディジタル一体型チューナ部の制御を行うので、コストメリットの高く且つ誤動作が少ないチューナ制御回路を提供できる。
また、請求項１、請求項３の発明は、トランジスタを使用してディジタル放送とアナログ放送の割り込みを防止するので、より一層割り込み誤動作を防止することができる。
【発明を実施するための最良の形態】
【００２７】
以下の項目に従ってチューナＩＣ回路を有する本発明の一実施形態であるテレビジョン装置１の構成を説明する。
（１）テレビジョン装置の構成
（２）チューナ回路の構成
（３）まとめ
【００２８】
（１）テレビジョン装置の構成
図４は、テレビジョン装置１のブロック構成図である。同図より、テレビジョン装置１は、チューナＩＣ回路１０と、映像信号処理回路２ａと、表示パネル２ｂと、音声信号処理回路２ｃと、スピーカ２ｅと、赤外線受光変換部２ｄと、制御部３と有する本体部２と、リモコン装置４とを有する構成である。同図より、本体部２の上記した各構成要素は、バス５にて接続され上記した制御部３の指示に基づいてテレビジョン装置１の機能を実現する。
【００２９】
リモコン装置４は、押圧することで所定の電圧値を有する操作信号を出力する操作入力キー４ｂを複数配置しており、ユーザが操作入力キー４ｂを押圧することで出力された操作信号を基に制御部３が各構成要素を制御する。具体的には、ユーザがリモコン装置４の操作入力キー４ｂを押し圧すると、赤外線送信部４ａは上記操作信号を対応した赤外線信号に変換して本体部２に出力する。本体部２では、赤外線送信部４ａが送信した赤外線信号を赤外線受光変換部２ｄが再度所定の電圧を有する制御信号に変換し制御部３に出力する。制御部３は出力された操作信号に基づいて各構成要素を制御する。
【００３０】
チューナＩＣ回路１０は、上記制御部３からの指示に基づいてアナログテレビジョン放送とディジタルテレビジョン放送を選択して受信し、受信したテレビジョン放送から映像信号と音声信号とを生成する。上記生成された映像信号は映像信号処理回路２ａに、音声信号は音声信号処理回路２ｃにそれぞれ送られそれぞれ所定の信号処理が行われる。
【００３１】
映像信号処理回路２ａは、上記チューナＩＣ回路１０にて生成された映像信号を基に映像を表示するためのＲＧＢ信号を生成する。上記生成されるＲＧＢ信号は、表示パネル２ｂの各画素にＲ（レッド）Ｇ（グリーン）Ｂ（ブルー）の各階調を表示するためのものであり、上記Ｒ、Ｇ、Ｂの各階調を組み合わせることでカラー画面を構成する。
【００３２】
音声信号処理回路２ｃは、チューナＩＣ回路１０にて生成された音声信号に制御部３からの指示に基づいて所定の増幅を行い、上記増幅した音声信号をスピーカ２ｅを介して音声として出力する。
【００３３】
（２）チューナＩＣ回路の構成
上記したチューナＩＣ回路１０は、ディジタルテレビジョン放送とアナログテレビジョン放送とを受信するために、アナログ／ディジタル一体型チューナ部１３と、クロマＩＣ部１４と、第一のマイコン１１と、第二のマイコン１２と、制御ライン１５とを有する構成である。図１は、チューナＩＣ回路のブロック構成図である。同図より、チューナＩＣ回路１０の各構成要素は、制御ライン１５に接続され、第一のマイコン１１と第二のマイコン１２からの指示を制御ライン１５を介して各要素に出力する。
【００３４】
第一のマイコン１１と第二のマイコン１２がチューナＩＣ回路１０内の各要素を制御するための制御信号は、制御するための指示を伝えるデータ信号と、上記データ信号の同期を取るための同期信号とから構成されている。また、データ信号には、信号を出力する先のアドレス信号を有しており、上記データ信号に含まれたアドレス信号を基に特定の要素に信号を出力する。制御ライン１５は、上記データ信号を送信するデータライン１５ａと、上記同期信号を送信するクロックライン１５ｂを有しておりクロックライン１５ｂから出力される同期信号に合わせて、データライン１５ａに出力されるデータ信号が各要素に出力されることとなる。
【００３５】
第一のマイコン１１は、アナログテレビジョン放送を受信するための同期信号と３．３ボルトの振幅を有するデータ信号とから構成されるアナログ放送受信制御信号と、上記受信したテレビジョン放送を基に、映像信号と音声信号とを生成するための同期信号と３．３ボルトの振幅を有するデータ信号とから構成されるクロマＩＣ制御信号とをデータ信号出力ポート１１ａと同期信号出力ポート１１ｂとから出力する。
【００３６】
第二のマイコン１２は、ディジタルテレビジョン放送を受信するための同期信号と５ボルトのデータ信号とから構成されるディジタル放送受信制御信号をデータ信号出力ポート１２ａと同期信号出力ポート１２ｂとから出力する。
【００３７】
上記構成の第一のマイコン１１と第二のマイコン１２は、制御部３からの指示に基づいてアナログ／ディジタル一体型チューナ部１３が受信するテレビジョン放送の指示を出す。例えば、リモコン装置４の操作入力キー４ｂを押圧して制御部３にアナログ放送のチャンネル１を受信するよう指示が出た場合は、制御部３は上記した操作信号を第一のマイコン１１に出力する。第一のマイコン１１は上記指示を受けてアナログ／ディジタル一体型チューナ部１３にアナログ放送のチャンネル１を受信するようアナログ放送受信制御信号を、データ信号出力ポート１１ａから５ボルトの振幅を有するデータ信号を、同期信号出力ポート１１ｂから出力される同期信号に同期して出力する。
【００３８】
上記出力されたアナログ放送受信制御信号は、制御ライン１５のデータライン１５ａとクロックライン１５ｂを介してアナログ／ディジタル一体型チューナ部１３のデータ信号入力ポート１３ａと同期信号入力ポート１３ｂに入力される。そうしてアナログ／ディジタル一体型チューナ部１３は図示しないアンテナが受信したアナログテレビジョン放送からチャンネル１に対応する周波数を受信する。
【００３９】
また、このとき第一のマイコン１１は、クロマＩＣ部１４にアナログ／ディジタル一体型チューナ部１３が受信したテレビジョン放送から映像信号と音声信号とを生成するよう制御ライン１５を介してクロマＩＣ制御信号である５ボルトの振幅を有するデータ信号と同期信号を出力する。上記クロマＩＣ制御信号を受けてクロマＩＣ部１４は、アナログ／ディジタル一体型チューナ部１３が受信したテレビジョン放送を基に映像信号と音声信号とを生成し、バス５を介して映像信号処理回路２ａと音声信号処理回路２ｃに映像信号と音声信号をそれぞれ出力する。
【００４０】
図２は、アナログ放送を受信する場合のチューナＩＣ回路上の制御信号の流れを示す図である。同図より、第一のマイコン１１から出力されたアナログ放送受信制御信号とクロマＩＣ制御信号は、同期信号に同期して時間をずらして出力されるため制御ライン１５上で干渉することなくクロマＩＣ部１４の制御を行う。
【００４１】
次に、リモコン装置４からディジタル放送のチャンネル５を表示するよう操作信号が制御部３に出力された場合は、制御部３は、バス５を介して第二のマイコン１２にアナログ／ディジタル一体型チューナ部１３に、ディジタル放送のチャンネル５に対応する周波数を図示しないアンテナから受信するようディジタル放送受信制御信号である３．３ボルトの振幅を有するデータ信号と同期信号をデータ信号出力ポート１２ａと同期信号出力ポート１２ｂから出力する。
【００４２】
上記出力されたディジタル放送受信制御信号は、同様にクロックライン１５ｂの同期信号に同期してアナログ／ディジタル一体型チューナ部１３に出力される。アナログ／ディジタル一体型チューナ部１３は上記制御信号を受けて、図示しないアンテナが受信したディジタルテレビジョン放送からチャンネル５に対応する周波数を受信する。
【００４３】
このとき、クロマＩＣ部１４にクロマＩＣ制御信号を送るのは第一のマイコン１１のみであるため、リモコン装置４よりディジタル放送を受信するよう指示が出た場合には、第二のマイコン１２にてアナログ／ディジタル一体型チューナ部１３の制御を行い、第一のマイコン１１にてクロマＩＣ部１４の制御を行うこととなる。しかしながら、制御ライン１５は第一のマイコン１１と第二のマイコン１２とで共通であるため、第一のマイコン１１がクロマＩＣ部１４を制御するクロマＩＣ制御信号に、第二のマイコン１２からのディジタル放送受信制御信号が割り込み誤動作をする恐れがあった。
【００４４】
そのため、制御ライン１５に第二のマイコン１２の制御信号が第一のマイコンの制御信号に割り込まないよう、アナログ／ディジタル切り替えライン１６と、データ信号遮断部１７と、同期信号遮断部１８とを配置し信号の割り込み動作を防止することでクロマＩＣ部１４の制御を妨害しないような構造とした。
【００４５】
アナログ／ディジタル切り替えライン１６は、上記第一のマイコンが作動する際は、所定の電圧値を有するアナログ／ディジタル切り替え信号を出力し、上記第二のマイコンが作動する際は、上記アナログ／ディジタル切り替え信号を出力しない構成である。具体的には、リモコン装置４の操作入力キー４ｂを押圧してディジタル放送を受信するよう制御部３に指示を出した場合は、制御部３は、第一のマイコン１１に指示を送るとともに、アナログ／ディジタル切り替えライン１６にも同様の指示を送る。アナログ／ディジタル切り替えラインは、上記指示を受けてデータ信号遮断部１７と同期信号遮断部１８にアナログ／ディジタル切り替え信号出力せず、アナログ放送を受信するときのみ、アナログ／ディジタル切り替え信号を出力する。
【００４６】
データ信号遮断部１７は、データライン１５ａ間にコレクタ１７ａ２とエミッタ１７ａ３を接続するとともに、コレクタ１７ａ２からエミッタ１７ａ３の電圧の流れをベース１７ａ１に流れる電圧値によって遮断する第一のトランジスタであって、コレクタ１７ａ２には、第二のマイコン１２のデータ信号出力ポート１２ａが、エミッタ１７ａ３にはアナログ／ディジタル一体型チューナ部１３のデータ信号入力ポート１３ａが、ベース１７ａ１には、アナログ／ディジタル切り替えライン１６がそれぞれ接続している第一のトランジスタ１７ａを有する構成である。。同期信号遮断部１８は、クロックライン１５ｂ間にコレクタ１８ａ２とエミッタ１８ａ３を接続するとともに、コレクタ１８ａ２には第二のマイコン１２の同期信号出力ポート１２ｂが、エミッタ１８ａ３にはアナログ／ディジタル一体型チューナ部１３の同期信号入力ポート１３ｂが、ベース１８ａ１には、アナログ／ディジタル切り替えライン１６がそれぞれ接続している第二のトランジスタ１８ａを有する構成である。
【００４７】
上記構成において、リモコン装置４から制御部３にディジタル放送を表示するよう操作信号が出力された場合には、制御部３は、第一のマイコン１１と第二のマイコン１２とアナログ／ディジタル切り替えライン１６とに制御信号を出力する。第二のマイコン１２は上記操作信号を受けて、アナログ／ディジタル一体型チューナ部１３にディジタル放送受信制御信号のデータ信号をとデータ信号出力ポート１１ａとからデータライン１５ａを介して出力するとともに、同期信号を同期信号出力ポート１１ｂからクロックライン１５ｂに出力する。また、このときアナログ／ディジタル切り替えライン１６は、アナログ／ディジタル切り替え信号を出力しない。
【００４８】
図３はディジタル放送を受信する場合のチューナＩＣ回路上の制御信号の流れを示す図である。同図より、第一のトランジスタ１７ａと第二のトランジスタ１８ａのベース１７ａ１、１８ａ１にはアナログ／ディジタル切り替え信号が出力されず第二のトランジスタ１８ａのコレクタ１８ａ２とエミッタ１８ａ３間を同通しない。このため、第二のマイコン１２から出力されるディジタル放送受信制御信号は、制御ライン１５を介してアナログ／ディジタル一体型チューナ部１３にのみ出力される。さらに、第一のマイコン１１から出力されるクロマＩＣ制御信号は、制御ライン１５を介してクロマＩＣ部１４に出力されることとなる。
【００４９】
同様に、リモコン装置４から制御部３にアナログ放送を送信するよう操作信号が出力される場合には、制御部３は、第一のマイコン１１に操作信号を出力する。このため、第二のマイコンからは制御信号が出力されず、図２と同様に第一のマイコン１１から出力される同期信号に同期してアナログ／ディジタル一体型チューナ部１３とクロマＩＣ部１４とが順に制御される。
【００５０】
（３）まとめ
アナログテレビジョン放送とディジタルテレビジョン放送を受信して、上記受信したテレビジョン放送を基に映像信号と音声信号とを生成するチューナＩＣ回路を制御するチューナ制御回路において、
上記チューナＩＣ回路は、第一のマイコンと第二のマイコンにて出力される制御を同一の制御ラインに送信するために、上記第一マイコンと第二のマイコンを同時に作動させる際は、同第二のマイコンから出力されるディジタル放送受信制御信号が第一のマイコンから出力されるクロマＩＣ制御信号に割り込まないよう制御信号遮断手段を有する構成である。
【００５１】
また、請求項３にかかる発明は請求項２に記載のチューナ制御回路であって、上記制御信号遮断手段は、コレクタに上記第二のマイコンを接続し、エミッタにアナログ／ディジタル一体型チューナ部とを接続し、ベースに上記アナログ／ディジタル切り替え手段を接続するトランジスタを有し、上記第二のマイコンが作動する場合は上記ベースにアナログ／ディジタル切り替え信号を流さないことで、上記コレクタとエミッタとの間を遮断して、上記第二のマイコンから出力されるディジタル放送受信制御信号を上記制御ラインに接続されたクロマＩＣ部に出力しない制御信号遮断部とを有する構成である。
【００５２】
つまり、請求項２に記載のチューナ制御回路であって、上記制御信号遮断手段は、コレクタに上記第二のマイコンを接続し、エミッタにアナログ／ディジタル一体型チューナ部とを接続し、ベースに上記アナログ／ディジタル切り替え手段を接続するトランジスタを有する構成である。上記構成により、ディジタル放送を受信するために、上記第二のマイコンが作動する場合は上記ベースにアナログ／ディジタル切り替え信号を流さないことで、上記コレクタとエミッタとの間を遮断して、上記第二のマイコンから出力されるディジタル放送受信制御信号を上記制御ラインに接続されたクロマＩＣ部に流さないことでクロマＩＣ部の誤動作を防止する制御信号遮断部とを有する構成であるので、より一層割り込み誤動作を防止することができる。
【図面の簡単な説明】
【００５３】
【図１】チューナ制御回路の回路図である。
【図２】アナログ放送を受信する場合のチューナＩＣ回路上の制御信号の流れを示す図である。
【図３】ディジタル放送を受信する場合のチューナＩＣ回路上の制御信号の流れを示す図である。
【図４】テレビジョン装置のブロック構成図である。
【符号の説明】
【００５４】
１０…チューナＩＣ回路
１１…第一のマイコン
１１ａ…データ信号出力ポート
１１ｂ…同期信号出力ポート
１２…第二のマイコン
１２ａ…データ信号出力ポート
１２ｂ…同期信号出力ポート
１３…アナログ／ディジタル一体型チューナ部
１３ａ…データ信号入力ポート
１３ｂ…同期信号入力ポート
１４…クロマＩＣ部
１４ａ…データ信号入力ポート
１４ｂ…同期信号入力ポート
１５…制御ライン
１５ａ…データライン
１５ｂ…クロックライン
１６…アナログ／ディジタル切り替えライン
１７…データ信号遮断部
１７ａ…第一のトランジスタ
１８…同期信号遮断部
１８ａ…第二のトランジスタ
【図１】
2007228164.tif 000003
【図２】
2007228164.tif 000004
【図３】
2007228164.tif 000005
【図４】
2007228164.tif 000006